(57)【要約】【課題】姿勢が前かがみになる猫背を未然に防止し、背筋が真っすぐに延びてシャキッとした姿勢を確保し、姿勢を正しくボディ全体を美しく変身させる。【解決手段】人体の左肩甲骨と右肩甲骨の間にある脊柱にあたる弾性を有する矯正部を内側に取着し、矯正部の左側方と右側方に夫々磁石を内蔵した背あて部を形成し、背あて部の下方部の左サイドと右サイドを延設して人体の前方部に延設する左側バストアップベルト部と右側バストアップベルト部とを形成し、左側バストアップベルト部と右側バストアップベルト部との端部にホック体を設け、人体の左肩部と右肩部にかける弾性を有するループ部の一端部を背あて部の端縁部に接続し、ループ部の他端部を左側バストアップベルト部と右側バストアップベルト部にバストサイドの寄せと下方からの引上げを可能にして取着した。【選択図】    図１
0003130805.tif 000002
【実用新案登録請求の範囲】
【請求項１】
人体を構成する左肩甲骨と右肩甲骨の間にある脊柱にあたる弾性を有する矯正部を内側に取着し、且前記矯正部の左側方と右側方に夫々磁石を内蔵した背あて部を形成し、前記背あて部の下方部の左サイドと右サイドを延設して人体の前方部に延設する左側バストアップベルト部と右側バストアップベルト部とを形成し、前記左側バストアップベルト部と右側バストアップベルト部との端部にホック体を設けると共に、人体の左肩部と右肩部にかける弾性を有するループ部の一端部を前記背あて部の端縁部に接続し、他方前記ループ部の他端部を前記左側バストアップベルト部と前記右側バストアップベルト部にバストサイドの寄せと下方からの引上げを可能にして取着せしめることを特徴とする姿勢矯正バストアップサポーター。
【請求項２】
前記背あて部の矯正部が、垂直状にて形成することを特徴とする請求項１記載の姿勢矯正バストアップサポーター。
【請求項３】
前記磁石を、前記矯正部の左側方と右側方に複数個取着することを特徴とする請求項１又は同２記載の姿勢矯正バストアップサポーター。
【請求項４】
前記背あて部の内側部に、遠赤外線放射部を複数取着せしめることを特徴とする請求項１又は同２又は同３記載の姿勢矯正バストアップサポーター。
【請求項５】
前記遠赤外線放射部が、前記背あて部の内側面に現われていることを特徴とする請求項１又は同２又は同３又は同４記載の姿勢矯正バストアップサポーター。
【考案の詳細な説明】
【技術分野】
【０００１】
本考案は、女性の姿勢矯正バストアップサポーターの分野に関するものである。
【背景技術】
【０００２】
従来、女性の姿勢を矯正する女性用被服として、特開平１１−１５２６０８号公開特許公報が開示されている。
【０００３】
前記開示の公開特許公報の発明は、裏面側のホルダー部２の部位が、肩甲骨の下方部に位置しており、前記ホルダー部２には、左右両サイドの肩甲骨の間の脊柱に沿って脊柱をサポートする矯正部材が取着されていない。
【０００４】
さらに、前記開示の公開特許公報の発明の女性用被服には、前記ホルダー部２の内側部に両肩甲骨及び脊柱周辺の血行を良好にするマグネット及び遠赤外線放射部材が使用されていない。
【特許文献１】特開平１１−１５２６０８号公開特許公報
【考案の開示】
【考案が解決しようとする課題】
【０００５】
しかるに、本考案が解決しようとする課題は、姿勢矯正バストアップサポーターを構成する背あて部に、肩甲骨の間の脊柱をカバーする矯正部を内側に取着して、姿勢が前かがみになる、いわゆる猫背を未然に防止し、背筋が真っすぐに延びてシャキッとした姿勢を確保し、姿勢を正しく、しかもボディ全体を美しく変身させることができるようにした。
【０００６】
さらに、本考案が解決しようとする課題は、前記サポーターを構成する背あて部の内側部に、前記した脊柱を矯正する矯正部の左右両サイドに複数の磁石を内蔵し、且遠赤外線放射部を取着せしめて、両肩甲骨及び前記両肩甲骨間の脊柱の周辺の筋肉をほぐし、同時に前記各部位の血行をも良好にした。
【０００７】
また、本考案が解決しようとする課題は、前記バストアップサポーターを構成する前記背あて部と接続する左右両側のバストアップベルト部によって、前記した猫背を正しくして背筋をシャキッとせしめると同時に、バストをアップして豊かなバストを実現せしめ、正しい姿勢を保持することによって、ウエストをすっきりさせることができるようにした。
【課題を解決するための手段】
【０００８】
課題を解決するための手段としての請求項１記載の考案は、人体を構成する左肩甲骨と右肩甲骨の間にある脊柱にあたる弾性を有する矯正部を内側に取着し、且前記矯正部の左側方と右側方に夫々磁石を内蔵した背あて部を形成し、前記背あて部の下方部の左サイドと右サイドを延設して人体の前方部に延設する左側バストアップベルト部と右側バストアップベルト部とを形成し、前記左側バストアップベルト部と右側バストアップベルト部との端部にホック体を設けると共に、人体の左肩部と右肩部にかける弾性を有するループ部の一端部を前記背あて部の端縁部に接続し、他方前記ループ部の他端部を前記左側バストアップベルト部と前記右側バストアップベルト部にバストサイドの寄せと下方からの引上げを可能にして取着せしめる姿勢矯正バストアップサポーターである。
【０００９】
請求項２記載の考案は、前記背あて部の矯正部が、垂直状にて形成する姿勢矯正バストアップサポーターである。
【００１０】
請求項３記載の考案は、前記磁石を、前記矯正部の左側方と右側方に複数個取着する姿勢矯正バストアップサポーターである。
【００１１】
請求項４記載の考案は、前記背あて部の内側部に、遠赤外線放射部を複数取着せしめる姿勢矯正バストアップサポーターである。
【００１２】
請求項５記載の考案は、前記遠赤外線放射部が、前記背あて部の内側面に現われている姿勢矯正バストアップサポーターである。
【考案の効果】
【００１３】
請求項１記載の考案は、人体を構成する左肩甲骨と右肩甲骨の間にある脊柱にあたる弾性を有する矯正部を内側に取着し、且前記矯正部の左側方と右側方に夫々磁石を内蔵した背あて部を形成し、前記背あて部の下方部の左サイドと右サイドを延設して人体の前方部に延設する左側バストアップベルト部と右側バストアップベルト部とを形成し、前記左側バストアップベルト部と右側バストアップベルト部との端部にホック体を設けると共に、人体の左肩部と右肩部にかける弾性を有するループ部の一端部を前記背あて部の端縁部に接続し、他方前記ループ部の他端部を前記左側バストアップベルト部と前記右側バストアップベルト部にバストサイドの寄せと下方からの引上げを可能にして取着せしめる姿勢矯正バストアップサポーターなので、姿勢が前かがみになる、いわゆる猫背を未然に防止し、背筋がシャキッとした姿勢を正しく、しかもボディ全体を美しく変身せしめる利点を有している。
【００１４】
さらに、本考案は、背あて部の内側部に前記した脊柱を矯正する矯正部の左右両サイドに複数の磁石を内蔵し、且遠赤外線放射部を取着せしめて、両肩甲骨及び前記両肩甲骨間の脊柱の周辺の筋肉をほぐし、同時に前記各部位の血行をも良好にした。
【００１５】
また、本考案は、前記バストアップサポーターを構成する前記背あて部と接続する左右両側のバストアップベルト部によって、前記した猫背を正しくして背筋をシャキッとせしめると同時に、バストをアップして豊かなバストを実現せしめ、正しい姿勢を保持することによって、ウエストもすっきりさせることができる利点を有している。
【００１６】
さらに、本考案は、前記背あて部を構成する矯正部及び磁石並びに遠赤外線放射部を取着もしくは内蔵せしめる部分の生地は、合せ生地となっているので、前記矯正部は余り異動せず、脊柱を確実にサポートし、且違和感はない。
【００１７】
また本考案は、着用すると、背あて部と前記ループ部とが、背中の中心に向って作用する引張る力と、吊り上げる力とが複合して作用するものである。そのため背筋がシャキッとする利点を有している。
【００１８】
さらに、本考案は、前ループ部が前記ホック部によって接続されている前記左右両側のバストアップベルト部が、サイドの寄せと、下部から引き上げる作用力が働いてボリュームをアップせしめるので、バストアップで豊かなバストを実現できる利点を有している。
【００１９】
請求項２記載の考案は、前記背あて部の矯正部が垂直状にて形成する姿勢矯正バストアップサポーターであるので、前記請求項１記載の考案と同じ効果を有している。
【００２０】
請求項３記載の考案は、前記磁石を、前記矯正部の左側方と右側方に複数個取着する姿勢矯正バストアップサポーターであるので、前記請求項１又は同２記載の考案と同じ効果を有している。
【００２１】
請求項４記載の考案は、前記背あて部の内側部に、遠赤外線放射部を複数取着せしめる姿勢矯正バストアップサポーターであるので、前記請求項１又は同２又は同３記載の考案と同じ効果を有している。
【００２２】
請求項５記載の考案は、前記遠赤外線放射部が、前記背あて部の内側面に現われている姿勢矯正バストアップサポーターであるので、前記請求項１又は同２又は同３又は同４記載の考案と同じ効果を有している。
【考案を実施するための最良の形態】
【００２３】
本考案の請求項１〜５記載の考案に関する実施形態は、共通しているので図面にもとづき以下のとおり説明する。
【００２４】
図面において、Ａは本考案の姿勢矯正バストアップサポーターであり、以下の構成からなっている。
【００２５】
１は背あて部であり、以下の構成からなる。即ち前記姿勢矯正バストアップサポーターＡを構成する人体Ｂの左肩甲骨８と右肩甲骨９の間にある脊柱にあたる弾性を有し、且細長形状の矯正部２を垂直状にして、且伸縮性を有する表生地３の裏面に取着の別設裏生地４との間に、左右両サイドに揺動しないよう両生地３、４とを縫着せしめ取着する。そして前記裏生地４も若干伸縮性を有している。
【００２６】
５は前記矯正部２の左側と右側に、通常前記裏生地４の裏面（図示していない）側に容易に離脱しないように所定の間隔おきに複数取着した磁石である。前記磁石５は、通常左側方に３個、右側方に３個宛取着する。
【００２７】
前記のように取着された磁石５は、表生地３と裏生地４との間に介在しており、外部から見えない。
【００２８】
また前記磁石５は、前記表生地３の裏面に取着してもよい。
【００２９】
６は、前記裏生地４の内側部４ａに複数点在せしめ取着した遠赤外線放射部である。
【００３０】
さらに、前記の構成からなる背あて部１の形状は、人体Ｂの首部７寄りの上方部の幅員を狭く、人体Ｂの脇部１０の方向に行くに従って漸次対称的に幅員が広く傾斜する傾斜部１１、１２を左右両サイドに構成する。
【００３１】
そして、前記背あて部１は、下方部にゴム製の帯状バンド部１３を水平状に取着する。
【００３２】
前記バンド部１３は前記の取着状態からさらに後記のとおり延設し取着する。
【００３３】
１４は左側バストアップベルト部であり、１５は右側バストアップベルト部である。
【００３４】
前記両ベルト部１４、１５は、前記背あて部１の下方部の左右両サイド部を延設して形成する。
【００３５】
１６は前記左側バストアップベルト部１４の端部に設けたホック部、１７は前記右側バストアップベルト部１５の端部に設けたホック部である。
【００３６】
前記背あて部１の下方部に取着のゴム製帯状バンド部１３を、前記両バストアップベルト部１４、１５の下方部にも一体に延設し取着する。
【００３７】
１８は弾性を有するループ部であり、本考案は２本使用し、以下のように取着する。前記２本のループ部１８の一端部は、前記背あて部１の傾斜部１１、１２の端縁部に接続する（図２、３）。
【００３８】
そして、前記２本のループ部１８の他端部は、前記左右両側バストアップベルト部１４、１５に接続する。この接続によってバストサイドの寄りと下方からの引き上げを可能となる。
【００３９】
前記２本のループ部１８の他端部と、前記左バストアップベルト部１４及び右バストアップベルト部１５との接続時には、前記両ベルト部１４、１５との取着個所が１ヶ所となる。
【００４０】
そして、前記両ベルト部１４、１５は、長さが調節できる構成である。
【００４１】
つぎに、前記の構成部材からなる本考案の姿勢矯正バストアップサポーターＡを着用すると下記のように作用する。
【００４２】
背あて部１に対し、図２に図示する矢印方向である矯正部２に向って作用力が集中的に働くことが明確である。そのため前記の矯正部２の方向に向う作用力によって背筋が自然に伸び背筋がシャキッとなる。
【００４３】
そのため、姿勢が矯正的に良くなり猫背が解消される。
【００４４】
さらに、図１に図示されているとおり、矢印の方向に、脇部１０を寄せる作用力と、下方からの引き上げる作用力が働いて、ボリュームをアップさせることができる。
【００４５】
そのため、バストアップで豊かなバストを実現できる。
【図面の簡単な説明】
【００４６】
【図１】本考案姿勢矯正バストアップサポーターを着用した状態の一部切欠正面図である。
【００４７】
【図２】同一部切欠背面図である。
【００４８】
【図３】同サポーターの一部切欠背面図である。
【符号の説明】
【００４９】
Ａ        姿勢矯正バストアップサポーター
Ｂ        人体
１        背あて部
２        矯正部
３        表生地
４        裏生地
４ａ      内側部
５        磁石
６        遠赤外線放射部
７        首部
８        左肩甲骨
９        右肩甲骨
１０      脇部
１１      傾斜部
１２      傾斜部
１３      帯状バンド部
１４      左側バストアップベルト部
１５      右側バストアップベルト部
１６      ホック部
１７      ホック部
１８      ループ部
【図１】
0003130805.tif 000003
【図２】
0003130805.tif 000004
【図３】
0003130805.tif 000005